(57)【要約】【課題】少ない手順で、多重する情報を選択容易にする補助データ多重方式および補助データ多重装置を提供すること。【解決手段】映像多段伝送システムにおいて複数構成され、多重する補助データの優先順位データを補助データとして多重する符号化手段を補助データ多重装置または補助データ多重部に備え、優先順位データに従って補助データの多重処理若しくは復号処理を行うことを特徴とする。【選択図】図５
2017216533.tif 000002
【特許請求の範囲】
【請求項１】
映像信号のブランキング領域に補助データ信号を多重する機能を備えた補助データ多重装置または補助データ多重部を備える伝送機器を複数備えた映像伝送システムにおいて、多重する補助データの優先順位データを補助データとして多重する符号化手段を備え、優先順位データに従って補助データの多重処理若しくは復号処理を行うことを特徴とする補助データ多重方式および補助データ多重装置。
【請求項２】
優先順位データに従って行う補助データの多重処理は、優先順位の高い処理データを情報エリアに上書きすることを特徴とする請求項１に記載の補助データ多重方式および補助データ多重装置。
【請求項３】
優先順位データに従って行う補助データの復号処理は、機器設定指令の復号であり、指令復号後に優先順位データを下位の順位に上書きすることを特徴とする請求項１に記載の補助データ多重方式および補助データ多重装置。
【請求項４】
多重する補助データの内容は操作器側に備える記憶手段にテーブル化され、内容選択、優先順位設定、対象機器選択は、操作器から設定することを特徴とする請求項１に記載の補助データ多重方式および補助データ多重装置。
【発明の詳細な説明】
【技術分野】
【０００１】
本発明は、映像撮影装置から出力されるデジタル映像信号の補助データ領域に付加情報を多重して伝送するシステムにおける多重情報制御に関する。
【背景技術】
【０００２】
複数の中継機器を経由する映像素材伝送システムにあっては、映像や音声に関連する情報を映像信号のブランキングデータ領域に補助データとして多重する方法が知られている。
【０００３】
特許文献１においては、映像信号の内容に関する特徴情報を補助データとして多重することで、後段の複数の符号化装置または復号化装置の符号化または復号化制御を最適化し、伝送の効率化を可能にする方法が提案されている。
【０００４】
また、中継機器の監視情報や汎用データを補助データとして多重し、どの伝送機器がどのような状態かを受信側で監視可能にするための多重フォーマットが非特許文献１に開示されている。
【０００５】
非特許文献１においては、送受信中継機器各５段分の機器ＩＤと監視情報が補助データとして、デジタルハイビジョン信号の第１１ラインのどこのエリアに多重化するかを規定している。また、汎用情報を補助データとして第５７４ラインに多重する方法についても規定している。
【０００６】
汎用情報は、中継機器に関連する情報や機器制御情報であったり、特許文献１で利用するように映像に関連する補助情報であったりしてもよい。また、機器設置場所と関連する情報、例えば、撮影場所の情報や各中継地点の気象情報や地震情報を多重するなどしてもよく、ユーザが汎用的に利用することができるエリアである。
【先行技術文献】
【特許文献】
【０００７】
【特許文献１】特開２００６−２４６３１３号公報
【非特許文献】
【０００８】
【非特許文献１】電波産業会  技術資料「デジタルハイビジョン素材伝送補助データ運用規定」ＡＲＩＢ  ＴＲ−Ｂ２２
【発明の概要】
【発明が解決しようとする課題】
【０００９】
非特許文献１で規定する汎用情報のデータワードは、僅か８０ワードである。先に述べたように機器制御や中継地点毎に有益な情報を多重するなどの利用の仕方では、汎用情報データ領域の調停が必要であり、受信側でデータを選択して各中継地点の機器を制御することは操作者の負荷が大きく、必要な情報を送ることができない場合があった。
【００１０】
そこで、本発明の目的は、少ない手順で、多重する情報を選択容易にする補助データ多重方式および補助データ多重装置を提供することにある。
【課題を解決するための手段】
【００１１】
上記の目的を達成するために、本発明に係る補助データ多重装置または補助データ多重部を備える伝送機器は、
映像多段伝送システムにおいて複数構成され、多重する補助データの優先順位データを補助データとして多重する符号化手段を補助データ多重装置または補助データ多重部に備え、優先順位データに従って補助データの多重処理若しくは復号処理を行うことを特徴とする。
【発明の効果】
【００１２】
本発明係る補助データ多重装置または補助データ多重部を備える伝送機器によれば、映像中継経路の複数の中継点に存在する多数の補助データの多重制御を優先順位データの多重によって、一元化できるので、機器の制御や都度必要な情報を操作器によって容易に選択できるので、操作者の負荷を増やすことなく、番組効果を上げることが期待できる。
【図面の簡単な説明】
【００１３】
【図１】実施例１の補助データ多重装置を含む全体システム図である。
【図２】実施例１の補助データ多重装置の内部構成の機能ブロック図である。
【図３】ＡＲＩＢ技術資料ＴＲ−Ｂ２２の補助データ（機器ＩＤ）の説明図である。
【図４】ＡＲＩＢ技術資料ＴＲ−Ｂ２２の補助データ（汎用情報）の説明図である。
【図５】実施例１の補助データパケットの構造説明図である。
【図６】実施例１の無線送信機に含まれる補助データ多重部の内部構成の機能ブロック図である。
【図７】実施例１の補助データパケットのビット割り当ての説明図である。
【図８】実施例１の具体例を示したパケットの説明図である。
【発明を実施するための形態】
【００１４】
以下に、本発明の好ましい実施の形態を添付の図面に基づいて詳細に説明する。
【００１５】
図１は遠隔地に設置したカメラ雲台からの映像信号に本発明の補助データ多重方式を用いて補助データを多重して、映像を利用する操作者のもとへ映像信号及び補助データを無線伝送する実施形態を示した全体システム図である。
【実施例１】
【００１６】
まず、本実施例のシステム概要を説明する。
【００１７】
図１において、１は、映像信号の出力装置であるカメラ雲台であり、操作者が操作する操作器６により遠隔操作され、映像素材を出力する。遠隔操作のための制御信号は、映像信号とは別の回線、例えばモデム経由で公衆回線を使って伝送される。
【００１８】
カメラ雲台１のデジタル映像信号は、補助データを多重する補助データ多重装置２に入力される。補助データ多重装置２は、気象計や震度計などの外部機器３１を接続してそのデータを取り込むことができ、入力された映像信号のブランキング領域に外部機器のデータを補助データとして多重する。また、補助データ多重装置２は、カメラ雲台１の制御信号と同じ回線を使って操作器６から制御され、外部機器のデータ以外に後段の機器を制御する制御データも多重可能となっている。
【００１９】
次に、補助データを多重された補助データ多重装置２の映像出力は、第一の無線送信機４１に入力される。無線送信機４１から送信された電波は、受信可能な中継場所に設置された第一の無線受信機５１で受信され、さらに第二の無線送信機４２、第二の無線受信機５２と多段中継を行って、操作者所望の場所へ、映像及び補助データを伝送する。第二の無線受信機５２の出力は、補助データ復号装置７に入力され、映像信号に多重された補助データを復号して補助データ表示器９に補助データを表示するとともに、操作器６にもデータとして出力する。映像信号は、映像モニタに送られ、カメラ雲台１で撮影した映像を表示する。図１では説明を簡略化するため、無線送受信中継機器は各２段分の構成としている。
【００２０】
次に、図１における本発明の詳細を順に説明する。
【００２１】
図２は補助データ多重装置２の機能ブロック図であり、図３は非特許文献１に規定されている伝送機器ＩＤと監視情報の補助データワードを簡略化して示した構成図、図４は非特許文献１に規定されている汎用情報ユーザデータワードを簡略化して示した構成図である。
【００２２】
図２において、映像入力端子２１から、カメラ雲台１のデジタル映像信号出力が入力され、続くデータ多重化部２６において、映像ブランキング領域に補助データを多重する。ここで多重データの多重する映像ライン、多重するデータの内容、多重するエリア及び多重優先順位は、操作器６から指定することができる。
【００２３】
操作器６からの制御指令は、公衆回線を使ってモデム等を経由して、制御情報入力端子２４から入力され、ＣＰＵ２５においてデータ多重化部２６に対する指令を抽出して解釈し、データ多重化部２６に制御信号として出力される。カメラ雲台１に対する指令は、ＣＰＵ２５を経由して制御情報出力端子２３に出力される。データ多重化部２６では指定されたユーザデータラインのユーザデータワード（以下、ＵＤＷと記す）領域に、接続されている外部機器３１からの情報をＣＰＵ２５を介して補助データとして多重する。ここでは、５７４ラインの汎用情報エリア１に多重するものとする。
【００２４】
図５に、ＵＤＷのビット割り当ての具体例を示す。
【００２５】
先頭の２ワードは、図３に示した非特許文献１で規定する１１ラインに割り当てられた機器ＩＤと同じ値で上位ワードと下位ワードを多重する。次の１ワードの上位４ビットは優先順位（０ｘ０〜０ｘＦ）を示し、多重すべきデータの優先度を表す。次の３ビットは多重するデータの内容を指定するものである。例えば、気象計、震度計などの外部機器データの選択や機器ＩＤで示される機器に対する制御信号である。制御信号によって無線送受信機の変復調方式や誤り訂正符号化率などの動作モードの変更が可能になる。下位１ビットは多重する位置、汎用情報エリア１または２を指定するものである。
【００２６】
以上、３ワードが一つの機器に関する多重データとなる。１１ラインに合わせて送受信装置１０台分とカメラ雲台分を確保すると、７ワード分が残り、簡単な機器制御コマンドの多重が可能である。また、汎用情報２の４０ワードも別情報の多重エリアとして利用できる。
【００２７】
こうして補助データが多重された映像データは、補助データ多重装置２の映像出力端子２２から出力されて第一の無線送信機４１に入力される。第一の無線送信機４１の符号化部の機能ブロック図を図６に示す。入力された映像データは、データ分離部４５において映像データと補助データとに分離される。
【００２８】
分離された映像データは、映像符号化部４６において映像有効データをＭＰＥＧ（Ｍｏｖｉｎｇ  Ｐｉｃｔｕｒｅ  Ｅｘｐｅｒｔｓ  Ｇｒｏｕｐ）２  などの符号化処理によって圧縮してパケット化（以下、ＰＥＳ化：Ｐａｃｋｅｔｉｚｅｄ  Ｅｌｅｍｅｎｔａｒｙ  Ｓｔｒｅａｍ）する。
【００２９】
また、分離された補助データは、補助データ復号・符号化部４７において、図５に示した汎用情報１の補助データパケットを確認し、自局の機器ＩＤデータの後に多重すべきデータの有無と優先順位あるいは、機器制御情報の有無と優先順位を確認する。機器制御情報が存在した場合は、他の機器の優先順位情報と比較して、自局の優先順位が高い場合、制御信号を復号して送信機制御部（非図示）に送り、送信機の動作モードの設定変更などを行う。設定変更が行われた後は、この機器制御情報は後段の機器では不要なデータであるので、優先順位情報を最下位に書き換える符号化を行う。
【００３０】
また、多重すべきデータが指定されていた場合は、他の機器の優先順位情報と比較して、自局の優先順位が高い場合、外部機器データ３２からのデータを多重符号化する。補助データ復号・符号化部４７で符号化されたデータは、補助データパケット化部４８において独立したＰＥＳ化処理が行われる。また、無線送信機４１の機器ＩＤや送信監視情報も図３に示すフォーマットに従ってＰＥＳ化される。これらＰＥＳ化データは多重化され、トランスポートストリーム（ＴＳ）として生成される。
【００３１】
次に生成されたＴＳデータにより、マイクロ波等の搬送波のデジタル変調を行い送信機から電波として出力する。第一の無線送信機４１から出力された電波は、第一の無線受信機５１で受信する。第一の無線受信機５１においては、搬送波を受信し、デジタル復調と誤り訂正処理を行って得たＴＳデータにおける補助データ部に第一の無線受信機５１で追加する機器ＩＤや受信監視情報の追加処理を行う。優先度上位の外部機器データの多重指示があればさらに図３に示す汎用情報２の多重処理を行い、第二の無線送信機４２に出力する。第二の無線送信機４２では、第一の無線送信機４１と同様に自局の機器ＩＤと監視情報をＴＳパケット上の補助データエリアに多重して再符号化を行って生成したＴＳデータによって、搬送波のデジタル変調を行い送信機から電波として第二の無線受信機５２に向けて発信する。第二の無線受信機５２においては、搬送波を受信し、デジタル復調と誤り訂正処理を行って得た映像データに機器ＩＤや受信監視情報を補助データとして追加処理して補助データ復号装置７に出力する。補助データ復号装置７では、補助データを補助データ表示器９と操作器６に出力し、映像データは映像モニタ８などの映像出力機器に出力する。補助データ表示器９は、伝送機器の送受信電力やコンスタレーションなどの監視情報を表示するものであったり、外部機器３１として接続された気象計などの機器の出力情報を表示するものであったり、多重情報を表示する機器である。この機能は、映像信号に文字多重表示させるものであってもよい。
【００３２】
操作器６では、補助データ復号装置７から復号した補助データの内容を確認することが出来、操作器６の指令に従って補助データ多重装置２において生成した補助データとの差異を認識することができる。
【００３３】
多重動作をより理解し易くするため、具体例を挙げて説明する。
【００３４】
第一の無線送受信機の動作モードを変更し、第二の無線送信機４２に接続された外部機器３４のデータを取得することを目的とする。図５に示した優先順位、多重内容、多重位置の情報は、それぞれ図７（ａ）、（ｂ）、（ｃ）に示すデータが入力される。操作器６から、補助データ多重装置２に対し、先の目的を達成するようにデータを設定する。
【００３５】
図８は５７４ラインの汎用情報エリア１に補助データ多重装置２において、多重した状態を示した補助データパケットの構成図である。
【００３６】
第二の無線受信機５２には、追加多重は行わないことを示しており、第二の無線送信機４２には、優先順位３位で気象計のデータを汎用情報エリア２に追加多重することを示している。
【００３７】
第一の無線送信機４１に対しては、第一優先で機器制御情報が汎用情報エリア１に多重されていることを示しており、第一の無線受信機５１には、第二優先で機器制御情報が汎用情報エリア２に多重されていることを示している。補助データ多重装置２から図７に示す補助データを受けた第一の無線送信機４１は、自局の機器ＩＤと一致した直後のデータワードから第一優先の動作モード変更の指令があることを知り、汎用情報エリア１の末尾に多重された設定情報を復号する。復号後は、後段の機器では利用しないデータなので優先順位データを第一優先（０）から、優先度最低（Ｆ）に変更し、補助データを再符号化して、第一の無線送信機４１から発信する。その後、先に復号した動作モード指令に従って、動作モードを変更する。
【００３８】
第一の無線受信機５１では、第一の無線送信機４１からの電波を受信し、同様に補助データを復号し、自局の機器ＩＤと一致した直後のデータワードから第二優先の動作モード変更の指令が汎用情報エリア２にあることを知る。他の機器ＩＤに続く優先順位情報を確認し、優先上位のデータが無いことを確認して汎用情報エリア２の設定情報を復号する。復号後は、後段の機器では利用しないデータなので優先順位データを第二優先（１）から、優先度最低（Ｆ）に変更し、補助データを再符号化して、第二の無線送信機４２へ出力する。その後、先に復号した動作モード指令に従って、動作モードを変更する。一時的に第一の無線送信機４１と第一の無線受信機５１の動作モードが異なり、回線断となる可能性があるが、同じ動作モードになった時点で回線が復活する。
【００３９】
次に第二の無線送信機４２では、第三優先で外部機器データの多重処理が指示されている。他に優先度の高い指令は無いので、外部機器３４のデータを取り込み、汎用情報エリア２に上書きする。
【００４０】
以上、説明した動作により、操作者の意図した機器の動作モード変更と外部機器データの取得が可能になる。また、操作器６に入力多重する補助データの優先順位データから設定指令に対する実行の有無が認識できるので、次の操作も容易になる。
【００４１】
操作器においては、多重化する内容は操作器側に補助データを多重する機能を持つ機器毎に内部メモリ（非図示）に記憶し、テーブル化されている。多重機能を備える機器に対して、多重することが可能な情報を順に多重する設定を操作器から行うことで、受信可能な情報を全て操作器に取り込む事が可能であり、これら情報を記憶し、テーブル化することで、実際に多重が必要な情報選択を容易にすることができる。本例では、優先順位情報は操作者が手動で設定するよう説明したが、入力される補助データ情報から自動的に変更されるようにしてもよく（例えば、１ヶ所震度情報に変化があれば、震度計の優先順位が上がるなど）、また、番組や時間によって自動変更されてもよい。
【００４２】
以上、本発明の好ましい実施形態について具体例を挙げて説明したが、本発明はこの実施形態に限定されず、また、データ配置などパケットフォーマットによって限定されるものでもない。また、補助データの多重規定は、非特許文献１の規定に限らず、他の映像ラインを使用する規定もあり、本発明の要旨の範囲内で種々の変形及び変更が可能である。
【符号の説明】
【００４３】
１  カメラ雲台、２  補助データ多重装置、６  操作器、７  撮像素子、
３１，３２，３３，３４  外部機器、４１，４２  無線送信機、５１，５２  無線受信機
【図１】
2017216533.tif 000003
【図２】
2017216533.tif 000004
【図３】
2017216533.tif 000005
【図４】
2017216533.tif 000006
【図５】
2017216533.tif 000007
【図６】
2017216533.tif 000008
【図７】
2017216533.tif 000009
【図８】
2017216533.tif 000010